(57)【要約】【課題】組立性に優れた体重体組成計の組立方法及び体重体組成計を提供する。【解決手段】電極と電子回路基板とを接続するためのリード線５Ｒ、５Ｌ、６Ｒ、６Ｌの一端を電子回路基板に接続するとともに、荷重センサ及び電子回路基板をリード線で接続して下側ハウジング１ａに取り付ける第１工程と、下側ハウジング１ａに上側ハウジング１ｂを取り付ける第２工程と、電極と電子回路基板とを接続するためのリード線５Ｒ、５Ｌ、６Ｒ、６Ｌの他端側を、上側ハウジング１ａに設けられた開口部１８Ｒ、１８Ｌ、１９Ｒ、１９Ｌからハウジング外部に引き出す第３工程と、引き出されたリード線の他端５Ｒ、５Ｌ、６Ｒ、６Ｌを電極に接続し、電極を上側ハウジング１ｂに取り付ける第４工程と、を有することを特徴とする。【選択図】図７
2010012037.tif 000002
【特許請求の範囲】
【請求項１】
内部中空のハウジングが、被検者の体重を測定するための荷重センサが取り付けられる下側ハウジングと、被検者の身体インピーダンスを測定するため電極が取り付けられる上側ハウジングと、に分割された構造を有し、
前記ハウジングの内部に、第１リード線を介して前記荷重センサと接続されるとともに第２リード線を介して前記電極と接続される電子回路基板が配置される体重体組成計の組立方法であって、
前記第２リード線の一端を前記電子回路基板に接続するとともに、前記荷重センサ及び前記電子回路基板を前記第１リード線で接続して下側ハウジングに取り付ける第１工程と、
前記下側ハウジングに前記上側ハウジングを取り付ける第２工程と、
前記第２リード線の他端側を、前記上側ハウジングに設けられた開口部からハウジング外部に引き出す第３工程と、
引き出された前記第２リード線の他端を前記電極に接続し、前記電極を前記上側ハウジングに取り付ける第４工程と、
を有することを特徴とする体重体組成計の組立方法。
【請求項２】
前記第１工程において、前記第２リード線の他端側を、前記下側ハウジングにおいて前記開口部を介してハウジング外部に露出する位置に位置決めすることを特徴とする請求項１に記載の体重体組成計の組立方法。
【請求項３】
前記下側ハウジングにおいて前記開口部を介してハウジング外部に露出する位置に、前記第２リード線の他端側を係止可能な係止部を有していることを特徴とする請求項１または２に記載の体重体組成計の組立方法。
【請求項４】
内部中空のハウジングが、被検者の体重を測定するための荷重センサが取り付けられる下側ハウジングと、被検者の身体インピーダンスを測定するため電極が取り付けられる上側ハウジングと、に分割された構造を有し、
前記ハウジングの内部に、第１リード線を介して前記荷重センサと接続されるとともに第２リード線を介して前記電極と接続される電子回路基板が配置される体重体組成計であって、
前記上側ハウジングが、前記第２リード線をハウジング外部に引き出すための開口部を有し、
前記電極が、前記上側ハウジングと前記下側ハウジングとが接合された後に、前記開口部を介して外部に引き出された前記第２リード線に接続され、前記上側ハウジングに取り付けられることを特徴とする体重体組成計。
【請求項５】
前記上側ハウジングと前記下側ハウジングとを接合する前に、前記第２リード線の他端側を、前記下側ハウジングにおいて前記開口部を介してハウジング外部に露出する位置に位置決めすることができる位置決め手段をさらに備えることを特徴とする請求項４に記載の体重体組成計。
【請求項６】
前記位置決め手段は、前記下側ハウジングにおいて前記開口部を介してハウジング外部に露出する位置に設けられ、前記第２リード線の他端側を係止可能な係止部であることを特徴とする請求項５に記載の体重体組成計。
【請求項７】
前記上側ハウジングにおける前記電極の取付部の一の端部から前記開口部において前記リード線が外部に引き出される箇所までの距離をａ、
前記取付部の前記一の端部に対応する前記電極の端部から前記リード線が接続される箇
所までの距離をｂ、
前記開口部から前記リード線を引き出して延ばしたときの、開口部から見えているリード線の端から電極と接続されている端までの長さをｃ、
前記リード線を延ばした方向における前記電極の端部から前記リード線の接続箇所までの距離をｄ、
前記電極を前記リード線との接続作業位置に設置したときに形成される前記上側ハウジングと前記電極との間の距離をｅ、
接続作業を行う際に前記リード線を延ばした方向における前記取付部の端部と前記上側ハウジングの端部との間の長さをｆ、
リード線の余裕分の長さをα、
とした場合に、
ｃ＝ｂ−ａ＋α
ｃ−α＝ｄ×２＋ｅ＋ｆ
の関係を満たすことを特徴とする請求項４から６のいずれかに記載の体重体組成計。
【発明の詳細な説明】
【技術分野】
【０００１】
本発明は、体重体組成計の組立方法及び体重体組成計に関するものである。
【背景技術】
【０００２】
従来の体重体組成計の中には、被検者の身体インピーダンスを測定するための電極を、被検者を載せる本体ハウジングの被荷重面に配し、本体ハウジングを支える脚部に歪ゲージ等の荷重センサを設けたものが知られている。この種の体重体組成計は、電極及び荷重センサが、本体ハウジング内に収容された電子回路基板等にそれぞれリード線を介して接続された構成となっている。
【０００３】
図１０を参照して、従来の体重体組成計のハウジング構造について説明する。図１０は、従来例に係る体重体組成計の本体ハウジングの分解斜視図である。
【０００４】
本体ハウジング１００は、フロントハウジング１０１と、グランドハウジング１０２とから構成されている。フロントハウジング１０１は、樹脂成形品であり、被検者の身体インピーダンスを測定するための電極（不図示）が被荷重面１０１ａに取り付けられている。また、本体ハウジング１００における内部側となるフロントハウジング１０１の下面には剛性を付与するために補強リブが設けられている。グランドハウジング１０２は、板金で構成されており、四隅に設けられた脚部１０２ａに荷重センサとしての歪ゲージ（不図示）が取り付けられている。また、本体ハウジング１００における内部側となるグランドハウジング１０２の上面に歪ゲージとリード線（不図示）を介して接続された電子回路基板１０３が取り付けられている。
【０００５】
本体ハウジング１００の組立は、まず、電極をフロントハウジング１０１の被荷重面１０１ａに取り付けるとともに、歪ゲージ及び電子回路基板１０３をリード線で接続してグランドハウジング１０２の所定の取付箇所に位置決め固定する。次に、フロントハウジング１０１とグランドハウジング１０２とが分かれた状態で、電極と電子回路基板１０３とをリード線１０４で接続し、最後に、フロントハウジング１０１をグランドハウジング１０２に被せるように取り付ける。
【０００６】
フロントハウジング１０１とグランドハウジング１０２との取付工程においては、両者がリード線１０４でつながった状態で取り付けられることになる。したがって、リード線１０４の長さやたわみ具合等によっては、フロントハウジング１０１とグランドハウジング１０２とを接合する際に、その接合面にリード線１０４をかみ込んでしまう場合がある。このようなリード線１０４のかみ込みは、組立作業の作業性を悪くするとともに、工場での歩留りを悪くする結果となる。
【０００７】
このようなリード線１０４のかみ込みを防止するために、リード線によって直接接続するのではなく、例えば、板ばね等により接触させることで電気的に接続する構成も考えられる。しかし、このような構成は、以下のように体重体組成計においては採用し難い。
【０００８】
インピーダンス測定用電極は、検出される信号が非常に微弱なものであり、オペアンプ等の増幅回路によって増幅してから制御回路に出力する必要がある。したがって、従来では、例えば、ファストン端子によってリード線と電極や電子回路基板とを接続して接触抵抗を一定の低さに保つことによって精度を確保するようにした構成が一般的に採用されている。そのため、前述のように板ばねによって接続するようにしてしまうと、荷重がかかった際に接触部分に力がかかることによって接触抵抗が変化してしまう場合があり、測定
精度に大きな影響を与えてしまう可能性があり、実用化は困難である。
【０００９】
また、例えば、ハウジングの組立後にハウジング内部にリード線を挿入し、そのリード線を電子回路基板に接続する方法は、接続のための専用の治具等が必要となり、コストアップにつながることになる。したがって、従来においては、ハウジング内部に配置された電子回路基板とハウジングの外表面に取り付けられる電極とをリード線で接続するため、前述のように、リード線を予め電極と電子回路基板とに接続した状態でハウジングの組立を行っていた。
【発明の開示】
【発明が解決しようとする課題】
【００１０】
本発明の目的は、組立性に優れた体重体組成計の組立方法及び体重体組成計を提供することにある。
【課題を解決するための手段】
【００１１】
上記目的を達成するために、本発明における体重体組成計の組立方法は、
内部中空のハウジングが、被検者の体重を測定するための荷重センサが取り付けられる下側ハウジングと、被検者の身体インピーダンスを測定するため電極が取り付けられる上側ハウジングと、に分割された構造を有し、
前記ハウジングの内部に、第１リード線を介して前記荷重センサと接続されるとともに第２リード線を介して前記電極と接続される電子回路基板が配置される体重体組成計の組立方法であって、
前記第２リード線の一端を前記電子回路基板に接続するとともに、前記荷重センサ及び前記電子回路基板を前記第１リード線で接続して下側ハウジングに取り付ける第１工程と、
前記下側ハウジングに前記上側ハウジングを取り付ける第２工程と、
前記第２リード線の他端側を、前記上側ハウジングに設けられた開口部からハウジング外部に引き出す第３工程と、
引き出された前記第２リード線の他端を前記電極に接続し、前記電極を前記上側ハウジングに取り付ける第４工程と、
を有することを特徴とする。
【００１２】
このように、上側ハウジングが下側ハウジングに取り付けられた後に電極を第２リード線と接続して上側ハウジングに取り付けるようにすることにより、上側ハウジングを下側ハウジングに取り付ける際に上側ハウジングと下側ハウジングとがリード線でつながった状態とならないので、電極に接続される第２リード線が上側ハウジングと下側ハウジングとの接合面にかみ込まれることを防止することができる。すなわち、測定精度の観点から電極及び電子回路基板とリード線とを直接接続するのが好ましい体重体組成計において、ハウジング組立時におけるリード線のかみ込みを抑制しつつ、電極及び電子回路基板と第２リード線とを接続させることができる。
【００１３】
前記第１工程において、前記第２リード線の他端側を、前記下側ハウジングにおいて前記開口部を介してハウジング外部に露出する位置に位置決めするとよい。
【００１４】
このように第２リード線の他端側を下側ハウジングに対して位置決めしておくことにより、上側ハウジングを下側ハウジングに取り付ける際にリード線が邪魔になるのが抑制されるとともに、上側ハウジングが下側ハウジングに取り付けられた後に開口部から第２リード線を引き出し易くすることができる。
【００１５】
前記下側ハウジングにおいて前記開口部を介してハウジング外部に露出する位置に、前
記第２リード線の他端側を係止可能な係止部を有しているとよい。
【００１６】
これにより、係止部によって第２リード線の他端側を位置決めすることができる。
【００１７】
上記目的を達成するために、本発明における体重体組成計は、
内部中空のハウジングが、被検者の体重を測定するための荷重センサが取り付けられる下側ハウジングと、被検者の身体インピーダンスを測定するため電極が取り付けられる上側ハウジングと、に分割された構造を有し、
前記ハウジングの内部に、第１リード線を介して前記荷重センサと接続されるとともに第２リード線を介して前記電極と接続される電子回路基板が配置される体重体組成計であって、
前記上側ハウジングが、前記第２リード線をハウジング外部に引き出すための開口部を有し、
前記電極が、前記上側ハウジングと前記下側ハウジングとが接合された後に、前記開口部を介して外部に引き出された前記第２リード線に接続され、前記上側ハウジングに取り付けられることを特徴とする。
【００１８】
このように、上側ハウジングが下側ハウジングに取り付けられた後に電極を第２リード線と接続して上側ハウジングに取り付けるようにすることにより、上側ハウジングを下側ハウジングに取り付ける際に上側ハウジングと下側ハウジングとがリード線でつながった状態とならないので、電極に接続される第２リード線が上側ハウジングと下側ハウジングとの接合面にかみ込まれることを防止することができる。すなわち、測定精度の観点から電極及び電子回路基板とリード線とを直接接続するのが好ましい体重体組成計において、ハウジング組立時におけるリード線のかみ込みを抑制しつつ、電極及び電子回路基板と第２リード線とを接続させることができる。
【００１９】
前記上側ハウジングと前記下側ハウジングとを接合する前に、前記第２リード線の他端側を、前記下側ハウジングにおいて前記開口部を介してハウジング外部に露出する位置に位置決めすることができる位置決め手段をさらに備えるとよい。
【００２０】
このように第２リード線の他端側を下側ハウジングに対して位置決めしておくことにより、上側ハウジングを下側ハウジングに取り付ける際にリード線が邪魔になるのが抑制されるとともに、上側ハウジングが下側ハウジングに取り付けられた後に開口部から第２リード線を引き出し易くすることができる。
【００２１】
前記位置決め手段は、前記下側ハウジングにおいて前記開口部を介してハウジング外部に露出する位置に設けられ、前記第２リード線の他端側を係止可能な係止部であるとよい。
【００２２】
これにより、係止部によって第２リード線の他端側を位置決めすることができる。
【００２３】
前記上側ハウジングにおける前記電極の取付部の一の端部から前記開口部において前記リード線が外部に引き出される箇所までの距離をａ、
前記取付部の前記一の端部に対応する前記電極の端部から前記リード線が接続される箇所までの距離をｂ、
前記開口部から前記リード線を引き出して延ばしたときの、開口部から見えているリード線の端から電極と接続されている端までの長さをｃ、
前記リード線を延ばした方向における前記電極の端部から前記リード線の接続箇所までの距離をｄ、
前記電極を前記リード線との接続作業位置に設置したときに形成される前記上側ハウジ
ングと前記電極との間の距離をｅ、
接続作業を行う際に前記リード線を延ばした方向における前記取付部の端部と前記上側ハウジングの端部との間の長さをｆ、
リード線の余裕分の長さをα、
とした場合に、
ｃ＝ｂ−ａ＋α
ｃ−α＝ｄ×２＋ｅ＋ｆ
の関係を満たすとよい。
【００２４】
これにより、リード線と電極との接続作業に十分な引き出し長さを得ることができるとともに、リード線が必要以上に長く引き出されることがなくなり、電極を上側ハウジングに取り付ける際に、リード線が取付作業の邪魔になったり、電極と取付部との間にかみ込まずに収納することができる。
【発明の効果】
【００２５】
以上説明したように、本発明により、組立性に優れたものとすることができる。
【発明を実施するための最良の形態】
【００２６】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２７】
（実施例）
図１〜図９を参照して、本発明の実施例に係る体重体組成計について説明する。図１は、体重体組成計全体の概略構成を示す模式図である。図２は、体重体組成計の使用状態を示す模式図である。図３は、体重体組成計の制御構成を示すブロック図である。図４は、体重体組成計本体の模式的斜視図である。図５は、下側ハウジングにリード線を位置決めした状態を示す斜視図である。図６は、下側ハウジングに上側ハウジングを取り付けた状態を示す斜視図である。図７は、上側ハウジングのスリット（開口部）からリード線を引き出した状態を示す斜視図である。図８は、引き出したリード線を電極に接続した様子を示す一部拡大斜視図である。図９は、リード線を接続された電極を上側ハウジングの被荷重面に取り付けた状態を示す斜視図である。
【００２８】
＜体重体組成計の構成＞
主に図１及び図２を参照して、体重体組成計全体の概略構成について説明する。
【００２９】
図１に示すように、体重体組成計は、概略、本体１と保持部（表示操作部）２とから構成される。本体１と保持部２は、不図示のケーブルで接続されており、信号の送受信が可能である。なお、本体１と保持部２とを無線通信により接続する構成でもよい。図１に示しているのは、非使用時の状態であり、本体１の保持部収納部１４に、保持部２及びケーブルが収納されている。
【００３０】
本体１の上面（被荷重面）には、４つの足用電極１０Ｌ、１０Ｒ、１１Ｌ、１１Ｒが設けられている。電極１０Ｌ、１０Ｒは、左右の足裏に電流を印加するための電極であり、電極１１Ｌ、１１Ｒは、左右の足裏から電圧を検知するための電極である。
【００３１】
本体１の下面の四隅には、床面に接して本体１を支える脚部１２ａ、１２ｂ、１２ｃ、１２ｄが設けられている。これら脚部１２ａ、１２ｂ、１２ｃ、１２ｄの内部には、体重を測定するための荷重センサとして、歪ゲージ１３ａ、１３ｂ、１３ｃ、１３ｄが設けら
れている。
【００３２】
保持部２には、左右のグリップ２０Ｌ、２０Ｒ、表示部２１、操作部２２、などが設けられている。表示部２１は、測定結果やガイダンス等を表示する部分であり、例えば液晶ディスプレイから構成される。操作部２２は、年齢、性別、身長等の利用者情報の入力、登録番号（利用者）の選択、その他の情報入力のためのユーザインターフェイスを備えている。タッチパネル式のディスプレイを用いて、表示部２１と操作部２２を共通のハードウエアで構成するものであってもよい。
【００３３】
グリップ２０Ｌ、２０Ｒにはそれぞれ、手のひらに電流を印加するための電極２４Ｌ、２４Ｒと、手のひらから電圧を検知するための電極２５Ｌ、２５Ｒと、が設けられている。
【００３４】
以上のように構成された体重体組成計は、図２に示すように、被検者が、本体１の上面の電極１０Ｌ、１１Ｌに左足を載せ、電極１０Ｒ、１１Ｒに右足を載せ、保持部２の左のグリップ２０Ｌの電極２４Ｌ、２５Ｌを左手で握り、右のグリップ２０Ｒの電極２４Ｒ、２５Ｒを右手で握り、腕を水平に伸ばして肩と略同じ高さで保持部２を保持することにより使用される。
【００３５】
主に図３を参照して、体重体組成計の制御構成を説明する。
【００３６】
図３に示すように、保持部２は、制御部２６、体組成を測定する手段としてのインピーダンス測定部２７、記憶部２８、電源２９などを内蔵している。また、本体１は、荷重センサが接続される体重を測定する手段としての体重測定部１９ａや、足用電極が接続されるインピーダンスインタフェース１９ｂなどを内蔵している。これら体重測定部１９ａやインピーダンスインタフェース１９ｂなどは、電子回路基板１９上に設けられている。
【００３７】
制御部２６は、ＣＰＵ（演算処理装置）、メモリなどから構成されるもので、ＣＰＵがプログラムを実行することにより、体重及びインピーダンスの測定値と記憶部２８から読み込んだ利用者の身体特定化情報に基づいて、種々の体組成成分（体脂肪や内臓脂肪等）の推定や、体組成値の変化の度合いの判定等、種々の処理を行い、処理結果を表示部２１に表示するように構成されている。ただし、制御部２６が担う機能の一部又は全部を専用のチップで構成しても構わない。
【００３８】
体重測定部２３は、歪ゲージ１３ａ、１３ｂ、１３ｃ、１３ｄで検出される抵抗値の変化を検知することによって、被検者の体重を測定する手段である。
【００３９】
インピーダンス測定部２７は、制御部２６の制御に従って、足用電極１０Ｌ、１０Ｒ及び手用電極２４Ｌ、２４Ｒから生体に所定の電流を印加し、足用電極１１Ｌ、１１Ｒ及び手用電極２５Ｌ、２５Ｒで電圧を検知することによって、体内のインピーダンスを測定する手段である。
【００４０】
記憶部２８は、不揮発性メモリなどの記憶媒体から構成される。記憶部２８には、制御部２６によって体重及び体組成の測定結果（測定値）などが時系列に利用者別（登録番号別）に格納される。また、記憶部２８には、各利用者の身体特定化情報（性別、年齢、身長）も格納されている。本実施例の体重体組成計では複数（例えば４人）の利用者を登録可能であり、操作部２２で登録番号を指定することにより利用者を選択することができる。
【００４１】
体重及び体組成の測定を行う際の具体的な処理の流れや、体重測定部２３、制御部２６
及びインピーダンス測定部２７の具体的な処理の内容等については、公知の手法を適宜採用することができるので、ここでは説明を省略する。
【００４２】
＜体重体組成計本体の構造＞
主に図４〜図７を参照して、本体１の構成について説明する。
【００４３】
図４に示すように、本体１は、概略、下側ハウジング１ａと、上側ハウジング１ｂとから構成されている。下側ハウジング１ａ及び上側ハウジング１ｂはいずれも樹脂成形品である。樹脂材料としては、例えば、ＡＢＳ樹脂やポリカーボネート等が挙げられる。
【００４４】
図５に示すように、下側ハウジング１ａは、上面が開口しており、下面の四隅に脚部１２ａ、１２ｂ、１２ｃ、１２ｄが設けられている。また、下側ハウジング１ａの各脚部の内部には、荷重センサとしての歪ゲージ１３ａ、１３ｂ、１３ｃ、１３ｄが取り付けられている。
【００４５】
また、下側ハウジング１ａは、被検者の体重を支えるのに必要な剛性を有する補強構造を備えている。具体的には、下側ハウジング１ａ内部に、格子状に延びる複数の補強リブ１５を設けて剛性の強化を図っている。
【００４６】
各補強リブ１５は、下側ハウジング１ａの底部上面から垂直に立ち上がる突起部を下側ハウジング１ａ内部の対向する側壁面の間に連続的に設けたような、すなわち、下側ハウジング１ａの内部空間を仕切る壁のような形状を有している。複数の補強リブ１５は、下側ハウジング１ａの内部を複数の小さな空間に区画するように、下側ハウジング１ａ内部を水平方向の縦方向に並行して延びるものと、横方向に並行して延びるものとが互いに交差した構成となっている。なお、このような補強リブによって剛性を高める補強構造は、従来から種々の構成が知られている。本実施例では、内部空間が略矩形状となるように複数の補強リブが互いに直角に交差する構成としているが、例えば、三角形状やハニカム状となるような構成であっても構わない。
【００４７】
また、各補強リブ１５は、その上面が上側ハウジング１ｂの下面に当接して上側ハウジング１ｂを下方から支えるように構成されている。補強リブ１５の数や間隔、厚み等は、下側ハウジング１ａの形状や寸法等の仕様等に基づいて適宜設定される。また、補強リブ１５は、全体的に略同じ高さで設けられているが、電子回路基板１９の収容部１５ａやリード線が配線される箇所においては、部分的に高さが低くなっている。
【００４８】
本実施例の電子回路基板１９の収容部１５ａは、補強リブ１５の高さを部分的に低くしたり、あるいは一部を切り欠いたような形状とすることによって形成されているが、電子回路基板１９を収容する手法はこれに限られるものではなく、設計寸法上可能であれば、隣接する補強リブ１５の隙間に挿入して収容する方法でもよい。
【００４９】
電子回路基板１９は、リード線を介して各足用電極１０Ｌ、１０Ｒ、１１Ｌ、１１Ｒ及び歪ゲージ１３ａ、１３ｂ、１３ｃ、１３ｄが接続されている。また、図３に示すように、電子回路基板１９は、保持部２内部に収容されている電子回路基板にケーブル３を介して接続されており、インピーダンスインタフェース２７ａ及び体重測定部１９ａには、保持部２の基板に設けられた制御回路（制御部２６）やインピーダンス測定回路（インピーダンス測定部２７）に対して各電極及び歪ゲージからの入力信号を増幅して出力するオペアンプ等の増幅回路が形成されている。なお、このような増幅回路やインピーダンスインタフェース１９ｂ、体重測定部１９ａの構成等は公知技術であり、その具体的な説明は省略する。
【００５０】
各足用電極１０Ｌ、１０Ｒ、１１Ｌ、１１Ｒ及び歪ゲージ１３ａ、１３ｂ、１３ｃ、１３ｄと、電子回路基板１９とを接続するリード線は、補強リブ１５の間の隙間や、補強リブ１５の一部に設けられた配線用の切り欠き部等を縫うように延びている。
【００５１】
上側ハウジング１ｂは、開口した下側ハウジング１ａの上面に対応した平面形状を有する板状部材である。上側ハウジング１ｂの上面は、被検者を載せる被荷重面であり、下面が補強リブ１５によって支持される。
【００５２】
また、図６に示すように、上側ハウジング１ｂには、足用電極１０Ｌ、１０Ｒ、１１Ｌ、１１Ｒが取り付けられる取付部１６Ｌ、１６Ｒ、１７Ｌ、１７Ｒに、上下に貫通したスリット（開口部）１８Ｌ、１８Ｒ、１９Ｌ、１９Ｒが設けられている。スリット１８Ｌ、１８Ｒ、１９Ｌ、１９Ｒは、足用電極１０Ｌ、１０Ｒ、１１Ｌ、１１Ｒに半田付けされるリード線５Ｌ、５Ｒ、６Ｌ、６Ｒの他端側をハウジング外部に引き出すための開口部である。スリット１８Ｌ、１８Ｒ、１９Ｌ、１９Ｒの大きさや形状は特に限定されるものではないが、リード線５Ｌ、５Ｒ、６Ｌ、６Ｒを外部から容易に引き出すことができるとともに、足用電極１０Ｌ、１０Ｒ、１１Ｌ、１１Ｒを取り付ける際に、リード線５Ｌ、５Ｒ、６Ｌ、６Ｒが足用電極１０Ｌ、１０Ｒ、１１Ｌ、１１Ｒと上側ハウジング１ｂ（取付部１６Ｌ、１６Ｒ、１７Ｌ、１７Ｒ）との間にかみ込まれることがないように、ハウジング内部に収納し易い大きさ・形状で設けられる。
【００５３】
本実施例では、図７に示すように、足用電極１０Ｌ、１０Ｒ、１１Ｌ、１１Ｒの半田付けの位置、スリット１８Ｌ、１８Ｒ、１９Ｌ、１９Ｒの大きさや位置、リード線５Ｌ、５Ｒ、６Ｌ、６Ｒの長さなどが、以下の２つの式（式１、式２）を満たす関係が成立するように設定されている。
式１：ｃ＝ｂ−ａ＋α
式２：ｃ−α＝ｄ×２＋ｅ＋ｆ
ここで、ａ〜ｆ及びαは以下の通りである。なお、ここでは、代表的に足用電極１０Ｒにおける寸法関係についてのみ説明する。その他の足用電極１０Ｌ、１１Ｌ、１１Ｒについても同様に設定されるものであり、その説明は割愛する。
ａ：取付部１６Ｒの端部からスリット１８Ｒにおいてリード線５Ｒが外部に引き出される箇所までの距離。
ｂ：取付部１６Ｒの上記端部に対応する足用電極１０Ｒの端部からリード線５Ｒが半田付けされる箇所までの距離。
ｃ：スリット１８Ｒからリード線５Ｒを引き出して延ばしたときの、開口部から見えているリード線の端から電極と接続されている端までの長さ。
ｄ：リード線５Ｒを延ばした方向における足用電極１０Ｒの端部からリード線５Ｒの半田付け箇所までの距離。
ｅ：半田付け作業を行う際（足用電極１０Ｒを作業位置に設置したとき）に形成されるハウジング（上側ハウジング１ｂ）と足用電極１０Ｒとの間の距離。
ｆ：半田付け作業を行う際にリード線５Ｒを延ばした方向における取付部１６Ｒの端部と上側ハウジング１ｂの端部との間の長さ。
α：リード線５Ｒの余裕分の長さ。
【００５４】
以上の関係を満たすように各種の寸法を設定することにより、リード線と足用電極との半田付け作業に十分な引き出し長さを得ることができるとともに、リード線が必要以上に長く引き出されることがなくなり、半田付けした電極をハウジングに取り付ける際に、リード線が取付作業の邪魔になったり、電極と取付部との間にかみ込まずに収納することができる。
【００５５】
＜本体ハウジングの組立工程＞
主に図５〜図９を参照して、本体１の組立工程について説明する。
【００５６】
図５に示すように、まず、下側ハウジング１ａに、電子回路基板１９と歪ゲージ１３ａ、１３ｂ、１３ｃ、１３ｄが、配線して取り付けられる。すなわち、補強リブ１５に設けられた収容部１５ａに電子回路基板１９が取り付けられるとともに、下側ハウジング１ａ下面の各脚部に歪ゲージ１３ａ、１３ｂ、１３ｃ、１３ｄが取り付けられる。電子回路基板１９と歪ゲージ１３ａ、１３ｂ、１３ｃ、１３ｄとは不図示のリード線で接続される。
【００５７】
次に、各足用電極１０Ｌ、１０Ｒ、１１Ｌ、１１Ｒと電子回路基板１９とを接続することになるリード線５Ｌ、５Ｒ、６Ｌ、６Ｒが、一端が電子回路基板１９に接続されるとともに、下側ハウジング１ａに位置決めされる。各リード線５Ｌ、５Ｒ、６Ｌ、６Ｒは、補強リブ１５の隙間や補強リブ１５の上部に設けられた配線用の切り欠き部１５ｂあるいは部分的に高さを低くした部分１５ｃを通して配線される。リード線５Ｌ、５Ｒ、６Ｌ、６Ｒにおいて足用電極１０Ｌ、１０Ｒ、１１Ｌ、１１Ｒと接続されることになる他端側は、切り欠き部１５ｄに引っ掛けられることによって係止される。位置決め手段（係止部）としての切り欠き部１５ｄが設けられる位置は、上側ハウジング１ｂが下側ハウジング１ａに取り付けられたときに、スリット１８Ｌ、１８Ｒ、１９Ｌ、１９Ｒを介して外部に露出する（外部から見える）位置となっている。
【００５８】
次に、図６に示すように、上側ハウジング１ｂが下側ハウジング１ａの上面を覆うように取り付けられる。上記のように、リード線５Ｌ、５Ｒ、６Ｌ、６Ｒの他端側は、切り欠き部１５ｄに係止されて、スリット１８Ｌ、１８Ｒ、１９Ｌ、１９Ｒを介して外部に露出する位置に位置決めされた状態となっている。
【００５９】
次に、図７に示すように、リード線５Ｌ、５Ｒ、６Ｌ、６Ｒの他端側が、上側ハウジング１ｂに設けられたスリット１８Ｌ、１８Ｒ、１９Ｌ、１９Ｒを介してハウジング外部に引き出される。図８に拡大して示すように、スリット１８Ｌ、１８Ｒ、１９Ｌ、１９Ｒは、リード線５Ｌ、５Ｒ、６Ｌ、６Ｒの延びる方向に沿って開口幅が広がるような形状を有しており、リード線５Ｌ、５Ｒ、６Ｌ、６Ｒを引き出しやすくするとともに、リード線５Ｌ、５Ｒ、６Ｌ、６Ｒの他端側（電極に接続される先端側）を係止する切り欠き部１５ｄの係止状態を解くことによって、足用電極１０Ｌ、１０Ｒ、１１Ｌ、１１Ｒへの接続作業に必要な長さを確保することができるように構成されている。
【００６０】
次に、リード線５Ｌ、５Ｒ、６Ｌ、６Ｒの他端が電極１０Ｌ、１０Ｒ、１１Ｌ、１１Ｒにそれぞれ半田付けされる。最後に、電極１０Ｌ、１０Ｒ、１１Ｌ、１１Ｒは、図９に示すように、リード線５Ｌ、５Ｒ、６Ｌ、６Ｒが半田付けされた面を下面として、上側ハウジング１ｂの取付部１６Ｌ、１６Ｒ、１７Ｌ、１７Ｒに、例えば両面テープ等によってそれぞれ貼り付けて取り付けられる。
＜本実施例の優れた点＞
本実施例によれば、上側ハウジングが下側ハウジングに取り付けられた後に電極をリード線と接続して上側ハウジングに取り付けるようにすることにより、従来の体重体組成計のように、上側ハウジングを下側ハウジングに取り付ける際に上側ハウジングと下側ハウジングとがリード線でつながった状態とならない。したがって、電極に接続されるリード線が上側ハウジングと下側ハウジングとの接合面にかみ込まれることを防止することができる。すなわち、測定精度の観点から、電極及び電子回路基板とリード線とを直接接続するのが好ましい体重体組成計において、ハウジング組立時におけるリード線のかみ込みを抑制しつつ、電極及び電子回路基板とリード線とを接続させることができる。
【００６１】
また、リード線においてスリット（開口部）からハウジング外部に引き出される部分を、スリットを介して外部に露出する位置に係止部によって位置決めするので、上側ハウジ
ングを下側ハウジングに取り付ける際にリード線が邪魔になるのが抑制されるとともに、上側ハウジングを下側ハウジングに取り付けた後にリード線を開口部から引き出し易くなる。
【００６２】
したがって、体重体組成計の組立性を向上させることができる。
【００６３】
なお、上記実施例は本発明の一具体例を例示したものにすぎない。本発明の範囲は上記実施例に限られるものではなく、その技術思想の範囲内で種々の変形が可能である。
【００６４】
例えば、上記実施例では、体重体組成計の構成が本体と保持部とに分かれたタイプのものについて説明したが、これに限られるものではなく、制御部や表示部等を本体側に設けて足用電極のみでインピーダンス測定を行い、保持部を廃した構成のもの等の公知の種々の構成に対して本発明を適用することができる。また、電極や荷重センサ等の配置についても、上記実施例の構成に限られるものではなく、適宜変更することができる。
【００６５】
また、本発明を適用できる装置としては、体重体組成計に限られるものではない。すなわち、分割された一方のハウジングに２種類以上のセンサの一つが取り付けられるとともに、その他のセンサが他方のハウジングに取り付けられ、各センサをリード線によって一つの制御回路に直接接続しなければならないような構成を有するものに対しては、本発明を好適に適用することができる。
【図面の簡単な説明】
【００６６】
【図１】体重体組成計全体の概略構成を示す模式図である。
【図２】体重体組成計の使用状態を示す模式図である。
【図３】体重体組成計の制御構成を示すブロック図である。
【図４】体重体組成計本体の模式的斜視図である。
【図５】下側ハウジングにリード線を位置決めした状態を示す斜視図である。
【図６】下側ハウジングに上側ハウジングを取り付けた状態を示す斜視図である。
【図７】上側ハウジングのスリット（開口部）からリード線を引き出した状態を示す斜視図である。
【図８】引き出したリード線を電極に接続した様子を示す一部拡大斜視図である。
【図９】リード線を接続された電極を上側ハウジングの被荷重面に取り付けた状態を示す斜視図である。
【図１０】従来例に係る体重体組成計の本体ハウジングの分解斜視図である。
【符号の説明】
【００６７】
１   本体
１ａ 下側ハウジング
１ｂ 上側ハウジング
１０Ｌ、１０Ｒ、１１Ｌ、１１Ｒ   足用電極
１２ａ、１２ｂ、１２ｃ、１２ｄ   脚部
１３ａ、１３ｂ、１３ｃ、１３ｄ   歪ゲージ
１４ 保持部収納部
１５ 補強リブ
１５ａ      収容部
１５ｂ      切り欠き部
１５ｃ      高さを低くした部分
１５ｄ      切り欠き部
１６Ｌ、１６Ｒ、１７Ｌ、１７Ｒ   取付部
１８Ｌ、１８Ｒ、１９Ｌ、１９Ｒ   スリット（開口部）
１９ 電子回路基板
１９ａ      体重測定部
１９ｂ      インピーダンスインタフェース
２   保持部
２０Ｌ、２０Ｒ     グリップ
２１ 表示部
２２ 操作部
２４Ｌ、２４Ｒ     手用電極
２５Ｌ、２５Ｒ     手用電極
２６ 制御部
２７ インピーダンス測定部
２８ 記憶部
２９ 電源
３   ケーブル
５Ｌ、５Ｒ、６Ｌ、６Ｒ    リード線
【図１】
2010012037.tif 000003
【図２】
2010012037.tif 000004
【図３】
2010012037.tif 000005
【図４】
2010012037.tif 000006
【図５】
2010012037.tif 000007
【図６】
2010012037.tif 000008
【図７】
2010012037.tif 000009
【図８】
2010012037.tif 000010
【図９】
2010012037.tif 000011
【図１０】
2010012037.tif 000012